(57)【要約】【課題】  電気コードを介して一繋ぎとなっている２枚のパネルの敷設をより容易に可能ならしめる電気式床暖房パネルおよびその施工方法を提供する。【解決手段】  互いの短辺部にて電気コード２を介して一繋ぎとなり、その短辺部を突き合わせて敷設されるヒーター内蔵の第一パネル１ａおよび第二パネル１ｂからなる電気式床暖房パネルにおいて、電気コード２を、第一パネル１ａの短辺部における一端部と、これに対向する第二パネル２ｂの短辺部における一端部との間に設けて、第二パネル１ｂを電気コード２を中心に回転させてその短辺部を第一パネル１ａの短辺部から離すまたは近づけることを可能にする。【選択図】図１
2006057949.tif 000002
【特許請求の範囲】
【請求項１】
互いの短辺部にて電気コードを介して一繋ぎとなり、その短辺部を突き合わせて敷設されるヒーター内蔵の第一パネルおよび第二パネルからなる電気式床暖房パネルであって、
電気コードが、第一パネルの短辺部における一端部と、これに対向する第二パネルの短辺部における一端部との間に設けられており、
第二パネルを電気コードを中心に回転させてその短辺部を第一パネルの短辺部から離すまたは近づけることが可能となっていることを特徴とする電気式床暖房パネル。
【請求項２】
互いの短辺部にて電気コードを介して一繋ぎとなり、その短辺部を突き合わせて敷設されるヒーター内蔵の第一パネルおよび第二パネルからなる電気式床暖房パネルの施工方法であって、
電気コードが第一パネルの短辺部における一端部とこれに対向する第二パネルの短辺部における一端部との間に設けられている電気式床暖房パネルを用い、
この電気式床暖房パネルの第一パネルを基礎床上に置き、第二パネルを電気コードを中心に回転させてその短辺部を第一パネルの短辺部から離し、この状態で第一パネルをその短辺部にて基礎床に固定し、そして第二パネルを電気コードを中心に回転させてその短辺部を第一パネルの短辺部に近づけ、且つそれら短辺部を突き合わせることを特徴とする電気式床暖房パネルの施工方法。
【発明の詳細な説明】
【技術分野】
【０００１】
本願発明は電気式床暖房パネルに関するものである。
【背景技術】
【０００２】
ヒーターを内蔵した電気式床暖房パネルを複数枚繋げて床暖房を構築する際、各パネルを縦繋ぎすることがしばしばあるが、これにおいて、２枚のパネルを短辺部にて電気コードを介して予め連結させて一繋ぎの状態とし、これを敷設する方法が提案されている（特許文献１参照）。
【０００３】
この方法によれば、電気的に一繋ぎ一体となっている親パネルと称する第一パネルおよび子パネルと称する第二パネルを、短辺部にて対向して突き合わせるだけで、配線作業を軽減した簡単な施工を実現している。
【特許文献１】特開平１１−１０１４５４号公報
【発明の開示】
【発明が解決しようとする課題】
【０００４】
しかしながら、上記特許文献１に記載の方法にあっても、割付を行った後に、接着剤施工や釘施工を行うため、特に接着剤を塗布した一方のパネルを敷設位置に戻す際に電気コードで繋がっている他方のパネルが位置ずれしたりする恐れがあった。
【０００５】
そこで、以上のとおりの事情に鑑み、本願発明は、電気コードを介して一繋ぎとなっている２枚のパネルの敷設をより容易に可能ならしめる電気式床暖房パネルおよびその施工方法を提供することを課題としている。
【課題を解決するための手段】
【０００６】
本願発明は、上記の課題を解決するものとして、第１には、互いの短辺部にて電気コードを介して一繋ぎとなり、その短辺部を突き合わせて敷設されるヒーター内蔵の第一パネルおよび第二パネルからなる電気式床暖房パネルであって、電気コードが、第一パネルの短辺部における一端部と、これに対向する第二パネルの短辺部における一端部との間に設けられており、第二パネルを電気コードを中心に回転させてその短辺部を第一パネルの短辺部から離すまたは近づけることが可能となっていることを特徴とする。
【０００７】
また本願発明は、上記の課題を解決するものとして、第２には、互いの短辺部にて電気コードを介して一繋ぎとなり、その短辺部を突き合わせて敷設されるヒーター内蔵の第一パネルおよび第二パネルからなる電気式床暖房パネルの施工方法であって、電気コードが第一パネルの短辺部における一端部とこれに対向する第二パネルの短辺部における一端部との間に設けられている電気式床暖房パネルを用い、この電気式床暖房パネルの第一パネルを基礎床上に置き、第二パネルを電気コードを中心に回転させてその短辺部を第一パネルの短辺部から離し、この状態で第一パネルをその短辺部にて基礎床に固定し、そして第二パネルを電気コードを中心に回転させてその短辺部を第一パネルの短辺部に近づけ、且つそれら短辺部を突き合わせることを特徴とする。
【発明の効果】
【０００８】
上記第１および第２の発明によれば、電気コードを介して一繋ぎとなっている２枚のパネルについて、電気コードを上記のとおりに互いの短辺部間に設けておき、それを中心に、一方のパネルつまり第二パネルを回転移動させて他方のパネルつまり第一パネルの短辺部から離すまたは近づけることを可能ならしめることで、まず第一パネルをその短辺部にて釘打ち等することで基礎床に固定する際に、第二パネルを上記電気コードを中心として釘打ち等の邪魔にならない第一パネルから離れた位置へ回転移動させることができ、これにより第一パネルの固定をより容易に行え、そしてその後は第二パネルを再び上記電気コードを中心に回転させて互いの短辺部が近づく元の位置に戻し、それら短辺部を突き合わせるように固定することができる。よって、電気的に一繋ぎ一体となった２枚のパネルを、位置ずれを起こすことなく、しかも従来と同様に配線作業を軽減させて、より一層簡単に敷設施工することのできる電気式床暖房パネルおよびその施工方法が実現される。
【発明を実施するための最良の形態】
【０００９】
図１は、本願発明の一実施形態を示したものである。
【００１０】
この実施形態では、第一パネル１ａおよび第二パネル１ｂは、それぞれ、四辺に雄実１１および雌実１２の本実加工が施されたパネル体、より具体的には一方の短辺部および一方の長片部に雄実１１が設けられ、且つそれに対向する他方の短辺部および他方の長片部に雌実１２が設けられた長方形状のパネル体となっており、敷設時に互いに対向して突き合わされる短辺部にて、パネル体に内蔵されたヒーター（図示なし）へ電源供給するための電気コード２を介して電気的に一繋ぎ一体とされて、２枚一組の電気式床暖房パネルを構成している。
【００１１】
この電気式床暖房パネルにおいて、第一パネル１ａおよび第二パネル１ｂを一繋ぎにしている電気コード２は、第一パネル１ａの短辺部における一端部と、これに対向する第二パネル１ｂの短辺部における一端部との間に設けられており、この電気コード２を中心に、図示したように第二パネル１ｂを様々に回転させて、その短辺部を第一パネル１ａの短辺部から離すまたは近づけことが可能となっている。
【００１２】
なおもちろん、電気コード２は、パネル体とは別体のものとし、２枚一組の電気式床暖房パネルを構成する際に第一パネル１ａおよび第二パネル１ｂにコネクタ等を介して結線されるようになっていてもよい。
【００１３】
また、第一パネル１ａおよび第二パネル１ｂの短辺部もしくはその近傍部位には、電気コード２やコネクタ等を収納するスペース（図示なし）が設けられてもいる。短辺部にて縦繋ぎされる際に、電気コード２やコネクタ等はこの収納スペースに収められる。
【００１４】
以上の電気式床暖房パネルは、たとえば次のとおりに敷設施工することができる。
【００１５】
まず、第一パネル１ａおよび第二パネル１ｂの基礎床（図示なし）上での割付を行い、それに従って第一パネル１ａを基礎床上に置く。
【００１６】
続いて、第二パネル１ｂを電気コード２を中心に回転させて、その短辺部を第一パネル１ａの短辺部から離す。この回転については、たとえば図２や図３に示したような形態を考慮できる。図２では表を向けた状態のままずらしており、図３では反転させて裏返しの状態にしており、いずれも電気コード２を中心とした回転移動となっている。
【００１７】
次に、この状態で、第一パネル１ａを、その短辺部にて釘３を打つことで基礎床に固定する（図２、図３参照）。この固定は、接着剤による接着固定、またはそれらを併用した固定であってもよい。
【００１８】
そして、第二パネル１ｂを再び電気コード２を中心に回転させて、その短辺部を釘打ち固定された第一パネル１ａの短辺部に近づける、つまり第一パネル１ａの短辺部と対向する位置へ戻す。このとき、第二パネル１ｂの適宜位置に接着剤を塗布し、塗布後に戻すようにしてもよい。図３の反転の場合では、裏面への接着剤の塗布作業がより容易になる。
【００１９】
後は、それら対向した短辺部を突き合わせ、互いの雄実１１および雌実１２を嵌め合わせて縦繋ぎすることで、敷設施工が完了する。
【００２０】
以上によれば、電気コード２を中心とした第二パネル１ｂの回転移動によって、第一パネル１ａの固定作業を容易に行うことができ、しかも第二パネル１ｂを戻して突合せ、嵌合せによる縦繋ぎ作業を行っても、既に基礎床にしっかりと固定された第一パネル１ａの位置がずれることはなく、また第二パネル１ｂ自身も、固定された第一パネル１ａと電気コード２により繋がっているので、割付位置から大きくずれることもない。そして、従来と同様に配線作業も軽減でき、簡単な敷設施工を実現できるのである。
【００２１】
電気コード２については、当然その長さを上記特許文献１に記載の場合よりも短くでき、また、パネル体に設けられるその収納スペースについても、短い電気コード２を収納できればよいので小さくできる。
【００２２】
このように敷設された電気式床暖房パネルに、さらに続けて別の電気式床暖房パネルを縦繋ぎする場合には、たとえば図４に示したように、先の電気式床暖房パネルの第二パネル１ｂを第一パネル１ａとみなし、これに対して別の新たな第二パネル１ｂを電気コード２を結線させて一繋ぎとし、後は上述と同様な手順で、第二パネル１ｂを回転させ、第一パネル１ａを釘打ち固定し、第二パネル１ｂを再び回転させて元に戻し、第一パネル１ａと互いの短辺部にて縦繋ぎする。
【００２３】
これにより、第一パネル１ａおよび第二パネル１ｂを順次敷設して、複数組の電気式床暖房パネルを縦繋ぎにした床暖房を簡単に構築できるのである。
【００２４】
なお、以上のとおりの電気式床暖房パネルの敷設施工においては、電気式床暖房パネルだけでなく、その周辺の床パネルも割付けして一緒に仮置きし、部屋全体にパネルを仮置きしておき、そして、部屋の端に位置する周辺の床パネルから順に、釘や接着剤などの固定手段を用いて基礎床に固定していくことができる。
【図面の簡単な説明】
【００２５】
【図１】本願発明の一実施形態を示した平面図である。
【図２】本願発明の一実施形態について説明するための図である。
【図３】本願発明の一実施形態について説明するための別の図である。
【図４】本願発明の一実施形態について説明するためのさらに別の図である。
【符号の説明】
【００２６】
１ａ  第一パネル
１ｂ  第二パネル
１１  雄実
１２  雌実
２  電気コード
３  釘
【図１】
2006057949.tif 000003
【図２】
2006057949.tif 000004
【図３】
2006057949.tif 000005
【図４】
2006057949.tif 000006